(57)【要約】      （修正有）【課題】短時間で故障を直し、消費者が修理を待つ間でも、調理できるようにした電気調理器の筐体の提供。【解決手段】電気調理器の筐体は、丸型のフレーム体及び底板を含み、互いに複数のコネクタで分離可能な状態で連結する。フレーム体は少なくとも一個以上の側面に空気を対流させる設備を具え、底板の上表面は電気調理器の熱制御装置を外せる状態で設置する。筐体はフレーム体と分離結合する底体により、電気調理器が故障した場合、電気調理器全体を分解もしくは取り外しすることなく、フレーム体上から底板を外すだけで熱制御装置と電気調理器の電気連接を外し、再び新しい熱制御装置と交換するだけでよい。【選択図】図１
0003141555.tif 000002
【実用新案登録請求の範囲】
【請求項１】
丸型のフレーム体及び底板を含み、そこに電気調理器のヒーター及びヒーターと電気連接する熱制御装置を納置し、またフレーム体の最上面に一パネルを設置し、ヒーターはパネル底部に隣り合うフレーム体上に設置する電気調理器の筐体において、
少なくとも一個以上の側面に空気を対流させる設備を具えるフレーム体と、
フレーム体との結合を分離し、且つ熱制御装置は底板の上表面で取り外し可能にして設置する底板と、
底板をフレーム体の底部に結合する複数のコネクタから構成されることを特徴とする電気調理器の筐体。
【請求項２】
請求項１記載の電気調理器の筐体において、前記フレーム体に空気を対流させるための設備は、ファンユニットとすることを特徴とする電気調理器の筐体。
【請求項３】
請求項１記載の電気調理器の筐体において、前記フレーム体に空気を対流させるための設備は、その側面上に虫の侵入を防ぐ網層を設置することを特徴とする電気調理器の筐体。
【請求項４】
請求項１記載の電気調理器の筐体において、前記底板は、その一側辺とフレーム体底部を枢設し、その他の側辺は複数のコネクタによってフレーム体と分離可能に結合することを特徴とする電気調理器の筐体。
【請求項５】
請求項１記載の電気調理器の筐体において、前記複数のコネクタは、底板の少なくとも一側辺上に設置することを特徴とする電気調理器の筐体。
【請求項６】
請求項１記載の電気調理器の筐体において、前記複数のコネクタは、フレーム体の底部に設置することを特徴とする電気調理器の筐体。
【請求項７】
請求項１記載の電気調理器の筐体において、前記筐体内のヒーター及び熱制御装置は、その組セットが少なくとも一組以上で且つ相互にパネル表面に並列対応して配置することを特徴とする電気調理器の筐体。
【請求項８】
請求項７記載の電気調理器の筐体において、前記各一ヒーター及び熱制御装置の組セットは、それぞれ分離可能な底板を設置することを特徴とする電気調理器の筐体。
【請求項９】
請求項１記載の電気調理器の筐体において、前記底板は、その上表面に別にＵ字型槽フレームを設置し、熱制御装置を底板の上表面にスピーディに差し込み結合することを特徴とする電気調理器の筐体。
【請求項１０】
請求項９記載の電気調理器の筐体において、前記電気調理器の筐体は、更に少なくとも一固定部品で底板のＵ字型槽フレーム上に差込設置した熱制御装置を底板上の表面に安定して結合することを特徴とする電気調理器の筐体。
【考案の詳細な説明】
【技術分野】
【０００１】
本考案は、電気調理器の筐体に関するもので、特に嵌入式もしくは非嵌入式の電気調理器で、分離できる底板を具えているため、電気調理器が故障した時、筐体から底板を分離し、底板上の熱制御装置を交換することができるので、スピーディに修理して長時間に亘って調理できない不便を解決するものである。
【背景技術】
【０００２】
電気調理器とは、電気エネルギーをエネルギー源とした調理器具であり、ＩＨクッキングヒーター及び電熱調理器を含む。前者は電磁気で鉄質鍋の底部を発熱させ、食物を加熱調理する。後者はヒーターで直接鍋を加熱し調理をする。
【０００３】
電気調理器は、加熱口の数によって単口式もしくは複数口式に分けられる。前者は自由に移動して使用することができ、後者は台所の調理台に嵌入されている。上述のどの電気調理器も構造上では少なくとも一組のヒーター及び熱制御装置が設置され、その調理器の最上面はガラスもしくは陶磁のようなパネルが被され、電気調理器と調理鍋の間の接触面と美観を形成している。
【０００４】
どの電気調理器もその筐体の四辺及び底部は通常一体で分離できない。更にその中のヒーター及び熱制御装置は、筐体底部に固定設置されている。そのため、この種の製品に故障が発生すると、そのうちの一個もしくは複数個の過熱口が故障しても上から下まですべてのパネル、ヒーターを取り外し、電力計等の計測器で熱制御装置の故障点を探し出し、もしも故障の箇所が熱制御装置もしくはどの箇所か判断できない場合、調理器全体を工場に持ち帰り、部品全体を交換しなければならない。このため、仮にこの状況が嵌入式の電気調理器に発生した場合、電気調理器を外した後の調理台の美観が甚だしく損なわれるだけでなく、修理期間は調理ができず、更に修理の期間の長さを計ることができない点である。
【考案の開示】
【考案が解決しようとする課題】
【０００５】
公知の問題を解決するため、一種の電気調理器の筐体を提供することを本考案の目的とする。それは一分離可能な底板を具え、電気調理器が故障した時に筐体全体を外すことなく、底板をスピーディに分離し、その上の熱制御装置を交換することにより、スピーディに故障を排除し、長時間の修理によって調理できないと言う問題を解決する。更にキッチンの調理台から筐体全体を取り外したためにキッチンの美観を損ねる問題を改善する。
【０００６】
上述の目的のため、本考案の電気調理器の筐体は、丸型のフレーム体及び一底板を含み、そこに電気調理器のヒーター及びヒーターと電気連接する熱制御装置を納置する。またフレーム体の最上面には一パネルを設置し、ヒーターはパネル底部に隣接するフレーム体上に設置する。その特徴として、フレーム体は、少なくとも一個以上の側面に空気を対流させる設備を具え、底板はフレーム体との結合を分離することができ、且つ熱制御装置は底板の上表面で取り外せる状態で設置し、複数のコネクタは底板をフレーム体底部で結合する。
【０００７】
電気調理器の筐体は、その底板がフレーム体から完全に分離するか、もしくは底板の一側面とフレーム体が枢設し、その他の側面はフレーム体から軸回転して開いて分離する。
電気調理器の筐体は、その内部に少なくとも一組のヒーター及び熱制御装置をセットする。そのうち筐体内に多数個の加熱口をセットする時には、公知の多数組電気調理器と同じく、電気調理器のパネル表面に並列対応して設置する。
【０００８】
電気調理器の筐体に於いて、そのうち底板の上表面は、一Ｕ字型槽フレームを含み、熱制御装置を底板の上表面にスピーディに差し込んで設置する。
電気調理器の筐体に於いて、電気調理器が故障した時、その底板はフレーム体から分離し、同時に底板上の熱制御装置を新しいものに交換する。これによって加熱口の故障を即座に排除して機能を回復させ、消費者が修理を待つために調理できないと言う問題を解決する。
【課題を解決するための手段】
【０００９】
請求項１の考案は、丸型のフレーム体及び底板を含み、そこに電気調理器のヒーター及びヒーターと電気連接する熱制御装置を納置し、またフレーム体の最上面に一パネルを設置し、ヒーターはパネル底部に隣り合うフレーム体上に設置する電気調理器の筐体において、
少なくとも一個以上の側面に空気を対流させる設備を具えるフレーム体と、
フレーム体との結合を分離し、且つ熱制御装置は底板の上表面で取り外し可能にして設置する底板と、
底板をフレーム体の底部に結合する複数のコネクタから構成されることを特徴とする電気調理器の筐体としている。
請求項２の考案は、請求項１記載の電気調理器の筐体において、前記フレーム体に空気を対流させるための設備は、ファンユニットとすることを特徴とする電気調理器の筐体としている。
請求項３の考案は、請求項１記載の電気調理器の筐体において、前記フレーム体に空気を対流させるための設備は、その側面上に虫の侵入を防ぐ網層を設置することを特徴とする電気調理器の筐体としている。
請求項４の考案は、請求項１記載の電気調理器の筐体において、前記底板は、その一側辺とフレーム体底部を枢設し、その他の側辺は複数のコネクタによってフレーム体と分離可能に結合することを特徴とする電気調理器の筐体としている。
請求項５の考案は、請求項１記載の電気調理器の筐体において、前記複数のコネクタは、底板の少なくとも一側辺上に設置することを特徴とする電気調理器の筐体としている。
請求項６の考案は、請求項１記載の電気調理器の筐体において、前記複数のコネクタは、フレーム体の底部に設置することを特徴とする電気調理器の筐体としている。
請求項７の考案は、請求項１記載の電気調理器の筐体において、前記筐体内のヒーター及び熱制御装置は、その組セットが少なくとも一組以上で且つ相互にパネル表面に並列対応して配置することを特徴とする電気調理器の筐体としている。
請求項８の考案は、請求項７記載の電気調理器の筐体において、前記各一ヒーター及び熱制御装置の組セットは、それぞれ分離可能な底板を設置することを特徴とする電気調理器の筐体としている。
請求項９の考案は、請求項１記載の電気調理器の筐体において、前記底板は、その上表面に別にＵ字型槽フレームを設置し、熱制御装置を底板の上表面にスピーディに差し込み結合することを特徴とする電気調理器の筐体としている。
請求項１０の考案は、請求項９記載の電気調理器の筐体において、前記電気調理器の筐体は、更に少なくとも一固定部品で底板のＵ字型槽フレーム上に差込設置した熱制御装置を底板上の表面に安定して結合することを特徴とする電気調理器の筐体としている。
【考案の効果】
【００１０】
本考案の電気調理器の筐体は、分離できる底板を具えているため、電気調理器が故障した時、筐体から底板を分離し、底板上の熱制御装置を交換することができるので、スピーディに修理して長時間に亘って調理できない不便を解決するという利点がある。
【考案を実施するための最良の形態】
【００１１】
本考案実施例の電気調理器の筐体１は、丸型の一フレーム体１０及び一底板２０を含む。その筐体１内には電気調理器のヒーター３１及びヒーターと電気連接３４する熱制御装置３２を納置する。この熱制御装置３２は、周知のとおり、回路板、コイル及び必要な制御部品を含み、図１に示す。このフレーム体１０の最上面には一パネル３３を設置し、電機調理器に合う鍋４０を置いて調理する台面とし、またヒーター３１はパネル３３底部に隣接するフレーム体１０上に設置する。
【００１２】
本考案実施例の電気調理器の筐体１は、そのフレーム体１０の少なくとも一個以上の側面に空気を対流させる設備を具える。その空気を入れて対流させる設備は、第一図のように一種の柵門１２か、もしくは一種のファンユニット１３とする。この両設備を同時にフレーム体１０の異なる側面１１上に設置してもよいし、もしくはそのうちのひとつを設置してもよい。これらの設備が同時に一フレーム体１０上の異なる側面に存在する時、相対位置に設置するとは限らない。しかし、良好な位置関係として、第一図に示すように、柵門１２及びファンユニット１３は、フレーム体１０の両相対側面に設置することにより、フレーム体１０内の熱をファンユニット１３によって排出し、同時に柵門１２から冷風を引き入れる。
【００１３】
他に可能な実施の形態に於いて、ファンユニット１３が吸気と排気を兼備した機能であれば、ファンユニット１３と、その反対方向の側面に柵門１２を設置しなくても良いし、もしくは柵門１２と相対しない側面上に設置する必要もなく、同じ空気の対流効果を達成する。
【００１４】
本考案実施例の電気調理器の筐体は、そのフレーム体の空気を対流させる設備の側面上に更に網層１４を含み、それによって電気調理器内部に虫が入るのを防止する。
【００１５】
本考案実施例の電気調理器の筐体１は、その底板２０がフレーム体１０との結合を分離することができる。一実施例として、図２のＡに示すとおり、底板２０はフレーム体１０底部から全体を分離する。別の実施例で、図２のＢに示すとおり、その底板２２の一側辺２２２は、フレーム体１０と枢設２２４し、その他の側辺２２６はフレーム体１０と分離する。上述は如何なる連結形式の底板でもその底板の上表面２４には電気調理器の熱制御装置３２を設置し、更にその熱制御装置３２はフレーム体１０内で底板の分離可能な状態と同じく結合をする。
【００１６】
上述の本考案実施例の電気調理器の筐体１は、その底板２０が複数のコネクタ５０により底板がフレーム体の底部に結合される。複数のコネクタの一実施例は、図３のＡに示すとおり、底板２０の少なくとも一側辺上に設置する。別の一実施例のコネクタ５０は、図３のＢに示すとおり、フレーム体１０の底部１５上に設置する。これら複数のコネクタ５０は両物件を具えて可動連結、もしくは分離する部品で、図３のＡ、Ｂに示すのはつまみ、もしくは閂とする。
【００１７】
本考案実施例の電気調理器の筐体１は、その底板２０が図１に示すとおり、その一側辺がフレーム体１０底部と枢設２２４し、その他の側辺もしくは枢設２２４の相対側は、複数のコネクタ５０によってフレーム体１０と連接したり、分離して開いたりする。
【００１８】
本考案の電気調理器の筐体は、他に可能な実施例として、筐体内には少なくとも一組以上のヒーター３１及び熱制御装置３２が組セットされ、且つ図４に示すとおり、パネル３３表面に並列に相互に対応して設置するか、もしくは任意の形式配列で設置する。この種の多数組のヒーター３１は、パネル３３上における実施例は、図２のＢに示すように各ヒーター及び熱制御装置のセットがそれぞれ分離する底板２０を設置する。
【００１９】
本考案実施例の電気調理器の筐体１は、図１に示すとおり、熱制御装置３２を底板２０の上表面２４にスピーディに設置する。その底板２０の上表面２４は、図５に示すとおり、Ｕ字型槽フレーム２５を含み、熱制御装置３２の辺縁３２０にＵ字型槽フレーム２５を差し込んで置き、スピーディに設置したり、外したりするのが便利である。熱制御装置を底板の上表面にしっかりと結合するため、少なくとも固定部品２６、例としてネジを用い、Ｕ字型槽フレーム内の熱制御装置に差し込んで設置して固定する。
【００２０】
本考案実施例の電気調理器の筐体１は、フレーム体と分離結合する底板により、電気調理器が故障した時、補修員は電気調理器全体を外して工場へ持ち帰る必要がなく、フレーム体上で底板を分離し、熱制御装置３２の電気連接端３２２を抜き取り、新しい熱制御装置に交換するだけでその場で故障を解決できる。それにより、電気調理器の持ち主は修理ができるまで調理できないという問題を解決する。
【００２１】
本考案実施例の電気調理器の筐体１に於いて、そのうち電気調理器が嵌入式の応用方式に属する場合、図１に示すとおり、ファンユニット１３は電気調理器の嵌入箇所に隣り合う装飾外側壁６０箇所に置くのが良い。更にその装飾側壁６０は、ファンユニット１３に相対する位置に開口６１を設置して出風及び対流効率を高める。
【図面の簡単な説明】
【００２２】
【図１】本考案一実施例の電気調理器の筐体側面断面図及び電気調理器の嵌入式の応用方式概略図である。
【図２】本考案一実施例の電気調理器の筐体の底板がフレーム体から分離した概略図である。そのうち、Ａは底板がフレーム体の底部から完全に分離した状態図で、Ｂは底板一側辺がフレーム体底部に枢設され、その他の側辺はフレーム体の底部から完全に分離した状態図である。
【図３】本考案一実施例の電気調理器の筐体の底板が複数のコネクタでフレーム体底部に連結した状態概略図である。そのうち、Ａは複数のコネクタが底板の少なくとも一側辺上に設置した状態図で、Ｂは複数のコネクタがフレーム体の底部に設置した状態図である。
【図４】本考案別の一実施例の電気調理器の筐体の俯瞰図である。そのうち、筐体内には複数組のヒーター及び熱制御装置ユニットを含み、パネル表面に互いに配列設置した状態図である。
【図５】本考案別の一実施例の電気調理器の筐体の底板俯瞰図である。その上表面にはＵ字型槽フレームを具える。
【符号の説明】
【００２３】
１      筐体
１０    フレーム体
１２    柵門
１３    ファンユニット
１４    網層
１５    底部
２０    底板
２２    底板
２４    上表面
２５    Ｕ型槽フレーム
２６    固定部品
３１    ヒーター
３２    熱制御装置
３３    パネル
３４    電気連接
４０    鍋
５０    コネクタ
６０    装飾外側壁
６１    開口
２２２  側辺
２２４  枢設
２２６  側辺
３２０  辺縁
３２２  電気連接端
【図１】
0003141555.tif 000003
【図２】
0003141555.tif 000004
【図３】
0003141555.tif 000005
【図４】
0003141555.tif 000006
【図５】
0003141555.tif 000007